(57)【要約】【課題】表示装置が備えるカラーフィルタ側の基板の割れ又は欠けを抑制すること。【解決手段】表示パネル２は、ＴＦＴ基板７１と、ＴＦＴ基板７１と対向し、かつ、ＴＦＴ基板７１の厚みｔｓよりも厚みｔｆが小さい板状の部材であって、ＴＦＴ基板７１の基板面と直交する方向から見た場合には、ＴＦＴ基盤７１の配線が引き出されていない部分と対向する部分における外側縁部７５ｅｃ、７５ｅｄが、ＴＦＴ基板７１の外側縁部７１ｅｃ、７１ｅｄよりも内側にあるガラス基板７５と、を含む。【選択図】図９
2014199437.tif 000002
【特許請求の範囲】
【請求項１】
板状の部材であって、マトリクス状に配列された画素のスイッチング素子及び前記スイッチング素子と接続する配線が設けられる第１基板と、
前記第１基板と対向し、かつ、前記第１基板よりも厚みが小さい板状の部材であって、前記第１基板の基板面と直交する方向から見た場合には、前記第１基板の前記配線が引き出されていない部分と対向する部分における外側縁部が、前記第１基板の外側縁部よりも内側にある第２基板と、
前記第２基板の前記第１基板とは反対側の表面に設けられて、前記第２基板からの光の一部を遮断することにより、前記画素により表示される画像を分離する遮光層と、
を含む、表示装置。
【請求項２】
前記第１基板と前記第２基板との間、かつ前記第１基板及び前記第２基板の周辺部にシール部材を有し、
前記第１基板の前記配線が引き出されていない部分において、前記シール部材から前記第２部材の外側縁部までの距離は、前記第２基板の外側縁部から前記第１基板の外側縁部までの距離よりも大きい、請求項１に記載の表示装置。
【請求項３】
前記第２基板の厚みは、前記第１基板の厚みの１／２０以上１／５以下である、請求項１又は請求項２に記載の表示装置。
【請求項４】
請求項１乃至請求項３のいずれか１項に記載の表示装置を備えた電子機器。
【請求項５】
表示装置の製造方法であって、
第１基板と、前記第１基板と対向し、かつ厚みが前記第１基板の１／２０以上１／５以下である第２基板とに複数の表示パネル部が形成された表示パネル群から、前記表示パネル部を分断するための切れ目を形成する工程と、
前記切れ目に沿って前記表示パネル群を分断する工程と、
を含み、
前記切れ目を形成する工程は、
前記第２基板の表面に、前記表示パネルの外周部となる位置を挟んだ二箇所に第１の切れ目を形成する工程と、
平面視において、前記第１基板の表面の、隣接する前記第１の切れ目の間に第２の切れ目を形成する工程と、
を含む、表示装置の製造方法。
【発明の詳細な説明】
【技術分野】
【０００１】
本開示は、表示装置、電子機器及び表示装置の製造方法に関する。
【背景技術】
【０００２】
近年、携帯電話や電子ペーパー等のモバイル機器に適用される表示装置の需要が高くなっている。表示装置として、例えば、液晶表示装置は、２枚の基板間に液晶を挟持した表示装置である。液晶表示装置は、一般に、大判の基板に複数の液晶表示パネルを形成した後、これらを複数の液晶表示パネルに分断することによって製造される。例えば、特許文献１には、画像を表示する表示面を備える第一の基板と、前記第一の基板の前記表示面と反対側の面に対向して配置された第二の基板と、前記第一の基板及び第二の基板間の前記表示面に対応した領域を囲うように配置され該領域に液晶を狭持するシール材とを備えた液晶パネルであって、前記第二の基板の端面においては、前記第二の基板を取り出すマザー基板より前記第二の基板を所定の形状に切り出す際に前記第一の基板と対向する面側に分断の起点となる切断傷を形成した後に応力を印加することが記載されている。
【先行技術文献】
【特許文献】
【０００３】
【特許文献１】特開２００９−２３７２７９号公報
【発明の概要】
【発明が解決しようとする課題】
【０００４】
近年において、液晶表示装置は、異なる方向にそれぞれ画像を表示できる、二画面表示機種が提案されている。このような機種は、例えば、乗用車のダッシュボードの中央に配置されて、運転席側と助手席側とでそれぞれ画像を視認する場合に用いられる。二画面表示機種は、カラーフィルタが形成される基板の厚みが小さいため、カラーフィルタが形成される基板が分断された部分は、スクライブ時のばらつき等の影響によって、回路基板よりも外側に張り出すことがある。この部分が液晶表示装置の製造過程で治具等に接触すると、割れ又は欠けを招く可能性がある。
【０００５】
本開示は、表示装置が備えるカラーフィルタ側の基板の割れ又は欠けを抑制することを目的とする。
【課題を解決するための手段】
【０００６】
本開示は、板状の部材であって、マトリクス状に配列された画素のスイッチング素子及び前記スイッチング素子と接続する配線が設けられる第１基板と、前記第１基板と対向し、かつ、前記第１基板よりも厚みが小さい板状の部材であって、前記第１基板の基板面と直交する方向から見た場合には、前記第１基板の前記配線が引き出されていない部分と対向する部分における外側縁部が、前記第１基板の外側縁部よりも内側にある第２基板と、前記第２基板の前記第１基板とは反対側の表面に設けられて、前記第２基板からの光の一部を遮断することにより、前記画素により表示される画像を分離する遮光層と、を含む、表示装置及びこの表示装置を備えた電子機器である。
【０００７】
また、本開示は、表示装置の製造方法であって、第１基板と、前記第１基板と対向し、かつ厚みが前記第１基板の１／２０以上１／５以下である第２基板とに複数の表示パネル部が形成された表示パネル群から、前記表示パネル部を分断するための切れ目を形成する工程と、前記切れ目に沿って前記表示パネル群を分断する工程と、を含み、前記切れ目を形成する工程は、前記第２基板の表面に、前記表示パネルの外周部となる位置を挟んだ二箇所に第１の切れ目を形成する工程と、平面視において、前記第１基板の表面の、隣接する前記第１の切れ目の間に第２の切れ目を形成する工程と、を含む。
【０００８】
本開示によれば、表示装置の外周部全周にわたって、厚みが大きい第１基板が第２基板、すなわちカラーフィルタ側の基板の外側に配置される。表示装置の製造工程において、例えば、治具又は加工装置等の一部等に表示装置が接触した場合には、厚みが大きい第１基板が最初に治具の一部等に接触する。このため、厚みの小さい第２基板が治具の一部等に接触する可能性を極めて低く抑えることができるので、カラーフィルタ側の基板が割れたり欠けたりする可能性を極めて低く抑えることができる。
【発明の効果】
【０００９】
本開示によれば、表示装置が備えるカラーフィルタ側の基板の割れ又は欠けを抑制することができる。
【図面の簡単な説明】
【００１０】
【図１】図１は、実施形態に係る表示装置の一例を示す図である。
【図２】図２は、図１の表示装置のシステム構成例を示す図である。
【図３】図３は、実施形態に係る表示装置の概略断面構造を表す断面図である。
【図４】図４は、実施形態に係る表示装置の画素配列を表す回路図である。
【図５】図５は、実施形態に係る表示装置が画像を表示している状態を示す図である。
【図６】図６は、比較例に係る対向基板と画素基板との関係を示す平面図である。
【図７】図７は、比較例に係る対向基板と画素基板との関係を示す一部断面図である。
【図８】図８は、実施形態に係る対向基板と画素基板との関係を示す平面図である。
【図９】図９は、実施形態に係る対向基板と画素基板との関係を示す一部断面図である。
【図１０】図１０は、ガラス基板を分断する位置の説明図である。
【図１１】図１１は、ガラス基板を分断する位置の説明図である。
【図１２】図１２は、ガラス基板及びＴＦＴ基板を分断する際のスクライブの位置及び順序を説明するための平面図である。
【図１３】図１３は、実施形態に係る表示装置が適用されるテレビジョン装置の外観を示す斜視図である。
【図１４】図１４は、実施形態に係る表示装置が適用されるディジタルカメラの外観を示す斜視図である。
【図１５】図１５は、実施形態に係る表示装置が適用されるディジタルカメラの外観を示す斜視図である。
【図１６】図１６は、実施形態に係る表示装置が適用されるビデオカメラの外観を示す斜視図である。
【図１７】図１７は、実施形態に係る表示装置が適用されるノート型パーソナルコンピュータの外観を示す斜視図である。
【図１８】図１８は、本開示が適用される携帯電話機を示す、開いた状態の正面図である。
【図１９】図１９は、実施形態に係る表示装置が適用される携帯電話機を示す側面図である。
【図２０】図２０は、実施形態に係る表示装置が適用される携帯電話機を示す、閉じた状態の正面図である。
【図２１】図２１は、実施形態に係る表示装置が適用される携帯電話機を示す左側面図である。
【図２２】図２２は、実施形態に係る表示装置が適用される携帯電話機を示す右側面図である。
【図２３】図２３は、実施形態に係る表示装置が適用される携帯電話機を示す上面図である。
【図２４】図２４は、実施形態に係る表示装置が適用される携帯電話機を示す下面図である。
【図２５】図２５は、実施形態に係る表示装置が適用されるスマートフォンを示す正面図である。
【発明を実施するための形態】
【００１１】
以下、本開示を実施するための形態（以下、実施形態と記述する）について図面を用いて、次に示す手順で詳細に説明する。
１．表示装置
１−１．全体構成
１−２．二画面表示
１−３．対向基板と画素基板との関係
１−４．表示装置の製造方法
２．電子機器
３．本開示の構成
【００１２】
＜１．表示装置＞
［１−１．全体構成］
図１は、実施形態に係る表示装置の一例を示す図である。図１は、表示装置１を模式的に表したものであり、実際の寸法、形状と同一とは限らない。
【００１３】
表示装置１は、少なくとも表示エリア部２１を備える表示パネル２を含む。実施形態においては、表示装置１は、さらに、ドライバＩＣ（Integrated  Circuit）３と、フレキシブルプリント基板（ＦＰＣ（Flexible  Printed  Circuits））５０とを有する。フレキシブルプリント基板５０は、ドライバＩＣ３への外部信号又はドライバＩＣ３を駆動する駆動電力を伝送する。表示エリア部２１は、液晶を含む画素（副画素）がマトリクス状（行列状）に多数配置されており、画像を表示する。このように、表示装置１は液晶表示装置である。
【００１４】
図２は、図１の表示装置のシステム構成例を示す図である。表示パネル２は、透光性基板の表面に、表示エリア部２１と、インターフェース（Ｉ／Ｆ）及びタイミングジェネレータの機能を備えるドライバＩＣ３と、垂直駆動回路２２及び水平駆動回路２３と、を有する。垂直駆動回路２２は、垂直ドライバ２２１を有する。水平駆動回路２３は、水平ドライバ２３１及びバッファ回路２３２を有する。表示装置１は、表示エリア部２１に、スイッチング素子として、例えば、アモルファスシリコンＴＦＴ（Thin  Film  Transistor）を使用した場合、水平ドライバ２３１をＩＣで作成し、ガラス（透光性基板）の表面に圧着する。表示装置１は、小型高精細パネルの場合、垂直ドライバ２２１の回路をＴＦＴで作成することが多い。また、表示装置１は、水平ドライバ２３１及び垂直ドライバ２２１の少なくとも一方とドライバＩＣ３とを１個のＩＣ内に作成する場合もある。
【００１５】
表示エリア部２１は、後述する液晶層を含む画素４が、Ｍ行×Ｎ列に配置されたマトリクス（行列状）構造を有している。Ｍ及びＮは、いずれも自然数である。行とは、一方向に配列されるＮ個の画素４を有する画素行をいう。列とは、行に含まれる画素４が配列される方向と直交する方向に配列されるＭ個の画素４を有する画素列をいう。表示エリア部２１は、画素４のＭ行Ｎ列の配列に対して行毎に配線としての走査線（ゲート線）２４１、２４２、２４３・・・２４Ｍが配置され、列毎に配線としての信号線（シグナル線）２５１、２５２、２５３・・・２５Ｎが配置されている。以下、実施形態においては、走査線２４１、２４２、２４３・・・２４Ｍを区別しないときには走査線２４と表記し、信号線２５１、２５２、２５３・・・２５Ｎを区別しないときには信号線２５と表記することがある。
【００１６】
表示パネル２には、その外部から外部信号としてのマスタークロック、水平同期信号及び垂直同期信号が入力され、ドライバＩＣ３に与えられる。ドライバＩＣ３は、表示装置１の外部電源の電圧振幅のマスタークロック、水平同期信号及び垂直同期信号を、液晶の駆動に必要な電圧振幅にレベル変換し、マスタークロック、水平同期信号及び垂直同期信号としてタイミングジェネレータを通し、垂直スタートパルス、垂直クロックパルス、水平スタートパルス及び水平クロックパルスを生成する。
【００１７】
ドライバＩＣ３は、垂直スタートパルス、垂直クロックパルスを垂直駆動回路２２に与えるとともに、水平スタートパルス及び水平クロックパルスを水平駆動回路２３に与える。ドライバＩＣ３は、画素４毎の画素電極に対して各画素共通に与えるコモン電位（対向電極電位）と、このコモン電位と同相の制御パルス及び逆相の制御パルスを生成して表示エリア部２１に与える。具体的には、ドライバＩＣ３は、共通配線３１が接続されており、共通配線３１にコモン電位を与える。共通配線３１は、表示パネル２の外縁に沿って配置されており、表示エリア部２１と、垂直駆動回路２２及び水平駆動回路２３とが配置されている領域の周囲を囲んでいる。
【００１８】
垂直駆動回路２２は、表示エリア部２１を挟むように配置されている。なお、垂直駆動回路２２は、表示エリア部２１の一辺側に配置されていてもよい。垂直駆動回路２２は、シフトレジスタ、垂直ドライバ２２１等を含む。垂直駆動回路２２は、前述した垂直スタートパルスが与えられることで走査を開始し、垂直クロックパルスに同期して、上から又は下から順に走査線に走査信号を出力し、走査線に接続される画素４のスイッチング素子（ＴＦＴ）をオン状態とし、画素電圧が書き込まれるようにする。
【００１９】
水平駆動回路２３には、例えば６ビットのＲ（赤）、Ｇ（緑）、Ｂ（青）のデジタル映像データが与えられる。水平駆動回路２３は、垂直駆動回路２２による垂直走査によって選択された行の各画素４に対して、画素毎、複数画素毎又は全画素一斉に、信号線２５１、２５２、２５３・・・２５Ｎを介して表示データを書き込む。次に、表示エリア部２１の構成例を詳細に説明する。
【００２０】
図３は、実施形態に係る表示装置の概略断面構造を表す断面図である。図４は、実施形態に係る表示装置の画素配列を表す回路図である。図３に示すように、表示装置１が備える表示パネル２の表示エリア部２１は、画素基板２１Ａと、この画素基板２１Ａの表面に垂直な方向に対向して配置された対向基板２１Ｂと、画素基板２１Ａと対向基板２１Ｂとの間に挿設された液晶の層（以下、適宜液晶層という）２１Ｃとを備えている。
【００２１】
液晶層２１Ｃは、電界の状態に応じてそこを通過する光を変調するものである。液晶層２１Ｃには、例えば、ＴＮ（Twisted  Nematic：ツイステッドネマティック）モード、ＶＡ（Vertical  Alignment：垂直配向）モード、ＥＣＢ（Electrically  Controlled  Birefringence：電界制御複屈折）モード又はＦＦＳ（Fringe  Field  Switching）モード等の各種モードの液晶を用いることができる。なお、図３に示す液晶層２１Ｃと画素基板２１Ａとの間及び液晶層２１Ｃと対向基板２１Ｂとの間には、それぞれ配向膜が配設されてもよい。
【００２２】
対向基板２１Ｂは、第２基板としてのガラス基板７５と、このガラス基板７５の一方の面に形成されたカラーフィルタ７６と、を含む。ガラス基板７５は、板状の部材である。ガラス基板７５は、後述する画素基板２１ＡのＴＦＴ基板７１よりも厚みが小さい。ガラス基板７５の他方の面には、遮光パターン７７Ｐを有する遮光層７７が配設されている。カラーフィルタ７６は、赤（Ｒ）、緑（Ｇ）、青（Ｂ）の３色に着色された色領域を含む。カラーフィルタ７６は、例えば赤（Ｒ）、緑（Ｇ）、青（Ｂ）の３色に着色されたカラーフィルタの色領域を周期的に配列して、図４に示す各画素ＶｐｉｘにＲ、Ｇ、Ｂの３色の色領域が１組として、図２に示す画素４として対応付けられている。カラーフィルタ７６は、ガラス基板７５又はＴＦＴ基板７１と垂直な方向において、液晶層２１Ｃと対向する。なお、カラーフィルタ７６は、異なる色に着色されていれば、他の色の組合せであってもよい。一般に、カラーフィルタ７６は、緑（Ｇ）の色領域の輝度が、赤（Ｒ）の色領域及び青（Ｂ）の色領域の輝度よりも高い。
【００２３】
画素基板２１Ａは、第１基板（回路基板）としてのＴＦＴ基板７１と、このＴＦＴ基板７１上にマトリックス状に配設された複数の画素電極７２と、ＴＦＴ基板７１及び画素電極７２の間に形成されたコモン電極ＣＯＭＬと、画素電極７２とコモン電極ＣＯＭＬとを絶縁する絶縁層７４と、ＴＦＴ基板７１の下面側には入射側の偏光板７３Ｂとを含む。ＴＦＴ基板７１は、対向基板２１Ｂが備えるガラス基板７５よりも厚みが大きい板状の部材であり、例えば、ガラスで作られている。
【００２４】
ＴＦＴ基板７１には、図４に示す各画素Ｖｐｉｘのスイッチング素子としての薄膜トランジスタ（ＴＦＴ：Thin  Film  Transistor）素子Ｔｒ、各画素電極７２に画素信号を与える信号線２５ｎ、２５ｎ＋１、２５ｎ＋２及びＴＦＴ素子Ｔｒに走査信号を与える走査線２４ｍ、２４ｍ＋１、２４ｍ＋２等の配線が形成されている。このように、信号線２５ｎ、２５ｎ＋１、２５ｎ＋２は、ＴＦＴ基板７１の表面と平行な平面に延在し、画素Ｖｐｉｘに画像を表示するための画素信号を与える。信号線２５ｎ、２５ｎ＋１、２５ｎ＋２は、ＧＮＤには接続されず、フローティング状態にある。
【００２５】
図４に示す表示エリア部２１は、マトリックス状に配列した複数の画素Ｖｐｉｘを有している。画素Ｖｐｉｘは、図３に示す画素電極７２、ＴＦＴ素子Ｔｒ及び液晶素子ＬＣを備えている。この例では、ＴＦＴ素子Ｔｒは、ｎチャネルのＭＯＳ（Metal  Oxide  Semiconductor）型のＴＦＴである。ＴＦＴ素子Ｔｒのソース又はドレインの一方は、信号線２５に接続され、ゲートは走査線２４に接続され、ソース又はドレインの他方は画素電極７２に接続されている。液晶素子ＬＣは、画素電極７２とコモン電極ＣＯＭＬとによって生ずる電界により、電界に沿った方向に整列する。コモン電極ＣＯＭＬは、例えば、インジウム錫酸化物（Indium  Tin  Oxide：ＩＴＯ）等の透光性導電材料（透光性酸化物）で形成される透光性電極である。
【００２６】
画素Ｖｐｉｘは、走査線２４ｍ、２４ｍ＋１、２４ｍ＋２の１つにより、表示エリア部２１の同一の行に属する他の画素Ｖｐｉｘと互いに接続されている。走査線２４ｍ、２４ｍ＋１、２４ｍ＋２は、垂直ドライバ２２１と接続され、垂直ドライバ２２１から走査信号が与えられる。このように、垂直ドライバ２２１は、走査方向の走査線２４ｍ、２４ｍ＋１、２４ｍ＋２に走査信号を印加する。また、画素Ｖｐｉｘは、信号線２５ｎ、２５ｎ＋１、２５ｎ＋２の１つにより、表示エリア部２１の同じ列に属する他の画素Ｖｐｉｘと互いに接続されている。信号線２５ｎ、２５ｎ＋１、２５ｎ＋２は、水平ドライバ２３１と接続され、水平ドライバ２３１より画素信号が与えられる。さらに、画素Ｖｐｉｘは、コモン電極ＣＯＭＬにより、表示エリア部２１の同じ列に属する他の画素Ｖｐｉｘと互いに接続されている。コモン電極ＣＯＭＬは、共通配線３１を介してドライバＩＣ３と接続され、ドライバＩＣ３よりコモン電位が供給される。
【００２７】
図２に示す垂直ドライバ２２１は、走査信号を、図４に示す走査線２４ｍ、２４ｍ＋１、２４ｍ＋２を介して、画素ＶｐｉｘのＴＦＴ素子Ｔｒのゲートに印加することにより、表示エリア部２１にマトリックス状に形成されている画素Ｖｐｉｘのうちの１行（１水平ライン）を表示駆動の対象として順次選択する。図２に示す水平ドライバ２３１は、画素信号を、図４に示す信号線２５ｎ、２５ｎ＋１、２５ｎ＋２を介して、垂直ドライバ２２１により順次選択される１水平ラインに含まれる各画素Ｖｐｉｘにそれぞれ供給する。そして、これらの画素Ｖｐｉｘでは、供給される画素信号に応じて、１水平ラインの表示が行われるようになっている。ドライバＩＣ３は、コモン電位を印加する。
【００２８】
前述したように、表示装置１は、垂直ドライバ（ゲートドライバ）２２１が走査線２４ｍ、２４ｍ＋１、２４ｍ＋２を順次走査するように駆動することにより、１水平ラインが順次選択される。また、表示装置１は、１水平ラインに属する画素Ｖｐｉｘに対して、水平ドライバ２３１が画素信号を供給することにより、１水平ラインずつ表示が行われる。
【００２９】
表示装置１は、液晶素子ＬＣに同極性の直流電圧が印加され続けることによって液晶の比抵抗（物質固有の抵抗値）等の耐久性が低下する可能性がある。表示装置１は、液晶の比抵抗（物質固有の抵抗値）等の劣化を防ぐため、駆動信号のコモン電位を基準として画素信号の極性を所定の周期で反転させる駆動方式が採られる。
【００３０】
この表示パネルの駆動方式として、ライン反転、ドット反転又はフレーム反転等の駆動方式が知られている。ライン反転は、１ライン（１画素行）に相当する１Ｈ（Ｈは水平期間）の時間周期で画素信号の極性を反転させる駆動方式である。ドット反転は、互いに隣接する上下左右の画素毎に画素信号の極性を交互に反転させる駆動方式である。フレーム反転は、１画面に相当する１フレーム毎に全画素に書き込む画素信号を一度に同じ極性で反転させる駆動方式である。表示装置１は、上記の各駆動方式のいずれを採用することも可能である。
【００３１】
［１−２．二画面表示］
図５は、実施形態に係る表示装置が画像を表示している状態を示す図である。表示装置１が備える表示パネル２は、異なる方向、例えば、右方向と左方向とにそれぞれ画像ＰＩＡ及び画像ＰＩＢを表示する。このように、表示装置１が備える表示パネル２は、いわゆる二画面表示の機能を有している。表示装置１は、例えば、乗用車のダッシュボードに搭載され、運転席側と助手席側とから、それぞれ画像ＰＩＡ及び画像ＰＩＢを視認させることができる。
【００３２】
このため、表示パネル２は、対向基板２１Ｂの画素基板２１Ａとは反対側の表面に、遮光層７７が設けられている。より具体的には、遮光層７７はガラス基板７５の他方の面に形成される。遮光層７７は、画素基板２１Ａ、液晶層２１Ｃを通過した後、対向基板２１Ｂ、より具体的にはカラーフィルタ７６及びガラス基板７５を通過した光の一部を遮光する。その結果、画素基板２１Ａの画素により作成された画像が異なる方向に分離され、当該異なる方向から画像ＰＩＡ及び画像ＰＩＢを視認することができる。このため、遮光層７７は、遮光パターン７７Ａ乃至遮光パターン７７Ｅを有している。遮光パターン７７Ａ乃至遮光パターン７７Ｅは、例えば、金属の薄膜である。遮光層７７は、遮光パターン７７Ａ乃至遮光パターン７７Ｅによるものに限定されない。
【００３３】
例えば、カラーフィルタ７６のうち、カラーフィルタＦｂａ、カラーフィルタＦｒａ及びカラーフィルタＦｇａを通過した光の一部、より具体的には画像ＰＩＢに向かう光は、それぞれ遮光パターン７７Ａ、遮光パターン７７Ｂ及び遮光パターン７７Ｃによって遮光される。カラーフィルタＦｂａ、カラーフィルタＦｒａ及びカラーフィルタＦｇａを通過した光の一部、より具体的には画像ＰＩＡに向かう光は、それぞれ遮光パターン７７Ａと遮光パターン７７Ｂとの間、遮光パターン７７Ｂと遮光パターン７７Ｃとの間、遮光パターン７７Ｃと遮光パターン７７Ｄとの間を通過する。
【００３４】
カラーフィルタ７６のうち、カラーフィルタＦｂｂ、カラーフィルタＦｒｂ及びカラーフィルタＦｇｂを通過した光の一部、より具体的には画像ＰＩＡに向かう光は、それぞれ遮光パターン７７Ｃ、遮光パターン７７Ｄ及び遮光パターン７７Ｅによって遮光される。カラーフィルタＦｂｂ、カラーフィルタＦｒｂ、カラーフィルタＦｇｂを通過した光の一部、より具体的には画像ＰＩＢに向かう光は、それぞれ遮光パターン７７Ｂと遮光パターン７７Ｃとの間、遮光パターン７７Ｃと遮光パターン７７Ｄとの間、遮光パターン７７Ｄと遮光パターン７７Ｅとの間を通過する。
【００３５】
カラーフィルタＦｇａ、カラーフィルタＦｒａ及びカラーフィルタＦｂａを通過した光は、画像ＰＩＡの要素ＧＡ、要素ＲＡ、要素ＢＡとなり、カラーフィルタＦｇｂ、カラーフィルタＦｒｂ、カラーフィルタＦｂｂを通過した光は、画像ＰＩＢの要素ＧＢ、要素ＲＢ、要素ＢＢとなる。このように、表示パネル２は、異なる方向にそれぞれ画像ＰＩＡ及び画像ＰＩＢを表示することができる。
【００３６】
画像ＰＩＡのための画像データはＤ＿ＰＩＡであり、画像ＰＩＢのための画像データはＤ＿ＰＩＢである。画像データＤ＿ＰＩＡは、カラーフィルタＦｂａ、カラーフィルタＦｒａ及びカラーフィルタＦｇａに対応する画素基板２１Ａの画素に与えられ、画像データＤ＿ＰＩＢは、カラーフィルタＦｂｂ、カラーフィルタＦｒｂ及びカラーフィルタＦｇｂに対応する画素に与えられる。画像データＤ＿ＰＩＡ及び画像データＤ＿ＰＩＢは、同一であってもよいし、異なっていてもよい。
【００３７】
［１−３．対向基板と画素基板との関係］
図６は、比較例に係る対向基板と画素基板との関係を示す平面図である。比較例の表示パネル１０２は、平面視、すなわち表示面と直交する方向から見たときの形状が長方形である。表示パネル１０２は、ＴＦＴ基板１７１とガラス基板１７５との間かつこれらの周辺部に、シール部材１７８が設けられている。
【００３８】
表示パネル１０２のＴＦＴ基板１７１は、マトリクス状に配列された画素のスイッチング素子（ＴＦＴ）に接続される配線（信号線及び走査線）が、２箇所に引き出される。配線が引き出される部分ＷＡａは、隣接する２つの辺のうちの１つに相当する外側縁部１７１ｅａ側の一部であり、配線が引き出される部分ＷＡｂは、隣接する２つの辺のうちの他に相当する外側縁部１７１ｅｂ側の一部である。
【００３９】
図６に示すように、表示パネル１０２の配線が引き出される部分ＷＡａ及び部分ＷＡｂにおいて、ガラス基板１７５の外側縁部１７５ｅａ及び外側縁部１７５ｅｂは、ＴＦＴ基板１７１の外側縁部１７１ｅａ及び外側縁部１７１ｅｂよりも内側、すなわちシール部材１７８で囲まれる領域側にある。ＴＦＴ基板１７１は、外側縁部１７１ｅｃ及び外側縁部１７１ｅｄが、配線が引き出されていない部分となっている。配線が引き出されていない部分であるＴＦＴ基板１７１の外側縁部１７１ｅｃは、この部分と対向するガラス基板１７５の外側縁部１７５ｅｃと同一の位置、すなわち同一の平面内に存在する。これに対し、配線が引き出されていない部分であるＴＦＴ基板１７１の外側縁部１７１ｅｄは、この部分と対向するガラス基板１７５の外側縁部１７５ｅｄよりも内側、すなわちシール部材１７８で囲まれる領域側にある。
【００４０】
１個の表示パネル１０２は、一般に、一対の大判の基板（マザー基板）に表示パネル１０２となる部分（表示パネル部）が複数形成された１つの表示パネル群から、それぞれの表示パネル部を分断することによって製造される。表示パネル群から表示パネル部を分断して表示パネル１０２を得る場合、一般に、スクライブという加工が用いられる。スクライブとは、ダイヤモンド等の硬質のローラ又はチップ等の工具を用いて基板の表面に切れ目を形成する加工である。スクライブによって形成された切れ目に沿って折曲力を加えることにより、基板を分断することができる。
【００４１】
図７は、比較例に係る対向基板と画素基板との関係を示す一部断面図である。図７に示すように、配線が引き出されていない部分であるＴＦＴ基板１７１の外側縁部１７１ｅｄにおいて、この部分と対向するガラス基板１７５の外側縁部１７５ｅｄは、ＴＦＴ基板１７１の外側縁部１７１ｅｄよりも外側に突出する。このため、ＴＦＴ基板１７１の外側縁部１７１ｅｄよりもガラス基板１７５の外側縁部１７５ｅｄがはみ出していると、前述した表示パネル群から表示パネル部を切り出した後の工程において、例えば、図７に示すように、加工装置ＡＰ又は治具等の一部等に表示パネル１０２が接触すると、ガラス基板１７５の外側縁部１７５ｅｄが最初に接触する可能性がある。
【００４２】
実施形態において、表示パネル１０２は、二画面表示用に用いられるため、前述のように遮光層７７を設ける必要がある。ガラス基板１７５に設けられた遮光層７７は、画像を異なる方向に分離する機能を有するが、ガラス基板１７５の厚みが大きいと、異なる方向からの視差が狭くなる。そのため、異なる方向からの視差を広くするには、ガラス基板１７５の厚みを小さくする必要がある。ガラス基板１７５の厚みｔｆは数１０μｍ〜１００μｍ程度であり、ＴＦＴ基板１７１の厚みｔｓよりも小さい。このため、ＴＦＴ基板１７１の外側縁部１７１ｅｄからはみ出したガラス基板１７５の外側縁部１７５ｅｄが加工装置ＡＰの一部等に接触すると、ガラス基板１７５には割れ又は欠けが発生する可能性がある。これに対して、図６に示すように、表示パネル１０２の配線が引き出される部分ＷＡａ及び部分ＷＡｂにおいては、ガラス基板１７５の外側縁部１７５ｅａ及び外側縁部１７５ｅｂがＴＦＴ基板１７１の外側縁部１７１ｅａ及び外側縁部１７１ｅｂよりも内側にある。このため、例えば、表示パネル１０２の外側縁部１７１ｅａ又は外側縁部１７１ｅｂが加工装置ＡＰの一部等に接触したとしても、ガラス基板１７５よりも厚いＴＦＴ基板１７１が最初に接触する。ＴＦＴ基板１７１の厚みｔｓはガラス基板１７５の厚みｔｆの５倍乃至２０倍なので、ＴＦＴ基板１７１が加工装置ＡＰの一部に接触しても、割れ又は欠けの可能性は非常に低い。また、ＴＦＴ基板１７１が最初に加工装置ＡＰの一部等に接触することにより、ガラス基板１７５は保護される。その結果、表示パネル１０２が二画面表示用であっても、表示パネル１０２の配線が引き出される部分ＷＡａ及び部分ＷＡｂにおいては、ガラス基板１７５が割れたり欠けたりする可能性は非常に低い。
【００４３】
図８は、実施形態に係る対向基板と画素基板との関係を示す平面図である。図９は、実施形態に係る対向基板と画素基板との関係を示す一部断面図である。実施形態において、表示パネル２は、比較例に係る表示パネル１０２と同様であるが、配線が引き出される部分ＷＡａ及び部分ＷＡｂ以外の部分におけるガラス基板７５の構造が異なる。次においては、表示パネル２について、主に表示パネル１０２とは異なる部分を説明し、共通の部分については説明を省略する。
【００４４】
図８及び図９に示すように、ＴＦＴ基板７１の表示パネル２の配線が引き出されていない部分、すなわち、外側縁部７１ｅｃ及び外側縁部７１ｅｄそれぞれに面する部分と対向するガラス基板７５の部分における外側縁部７５ｅｃ及び外側縁部７５ｅｄは、ＴＦＴ基板７１の外側縁部７１ｅｃ及び外側縁部７１ｅｄよりも内側にある。すなわち、ガラス基板７５の外側縁部７５ｅｃ及び外側縁部７５ｅｄそれぞれは、ＴＦＴ基板７１の外側縁部７１ｅｃ及び外側縁部７１ｅｄそれぞれよりも、シール部材７８で囲まれる領域側にある。表示パネル２は、二画面表示用なので、ガラス基板７５の厚みｔｆは、ＴＦＴ基板７１の厚みｔｓよりも小さい。実施形態では、厚みｔｆは、厚みｔｓの１／２０以上１／５以下である。
【００４５】
このような構造により、表示パネル２は、外周部全周にわたって、厚みが大きいＴＦＴ基板７１がガラス基板７５の外側に配置される。表示パネル２の製造工程において、例えば、加工装置ＡＰの一部等に表示パネル２が接触した場合には、厚みが大きいＴＦＴ基板７１が最初に加工装置ＡＰの一部等に接触する。このため、厚みの小さいガラス基板７５が加工装置ＡＰの一部等に接触する可能性を極めて低く抑えることができるので、ガラス基板７５が割れたり欠けたりする可能性を極めて低く抑えることができる。また、ＴＦＴ基板７１は厚みが大きいため、加工装置ＡＰの一部等に接触したとしても割れたり欠けたりする可能性は極めて低い。このように、表示パネル２は、製造過程において、ＴＦＴ基板７１及びガラス基板７５が割れたり欠けたりする可能性は極めて低いため、歩留り及び品質が向上する。
【００４６】
［１−４．表示装置の製造方法］
図１０、図１１は、ガラス基板を分断する位置の説明図である。図１０に示すように、ガラス基板７５は、シール部材７８の外側縁部７８Ｔから距離Ｌ１だけ離れた位置がスクライブされて、分断される。図１０に示すように、距離Ｌ１が小さいと、スクライブ用の工具ＣＴの押圧力Ｐによってガラス基板７５が大きく撓み、スクライブ時においてガラス基板７５にクラックＣＲが発生する可能性がある。
【００４７】
このため、図１１に示すように、ガラス基板７５は、シール部材７８の外側縁部７８Ｔから距離Ｌ１よりも大きい距離Ｌ２だけ離れた位置がスクライブされることが好ましい。この距離Ｌ２は、スクライブ用の工具ＣＴの押圧力Ｐによるガラス基板７５の撓みが、ガラス基板７５にクラック等が発生しない程度の撓みとなって、ガラス基板７５を正常に分断することができる大きさとする。また、ガラス基板７５をスクライブする位置は、ＴＦＴ基板７１の外側縁部７１ｅｃ（外側縁部７１ｅｄ）を基準とすると、外側縁部７１ｅｃ（外側縁部７１ｅｄ）から距離Ｌ３だけ離れた位置になる。距離Ｌ３は、ガラス基板７５及びＴＦＴ基板７１の両方を分断する際の精度及びバリ等により、ガラス基板７５の外側縁部７５ｅｃ（外側縁部７５ｅｄ）が、ＴＦＴ基板７１の外側縁部７１ｅｃ（外側縁部７１ｅｄ）から張り出さない位置となる大きさに設定されることが好ましい。このように距離Ｌ２及び距離Ｌ３を設定すれば、ＴＦＴ基板７１の配線が引き出される部分ＷＡａ及び部分ＷＡｂ以外の部分において、ガラス基板７５の外側縁部７５ｅｃ、７５ｅｄを、確実にＴＦＴ基板７１の外側縁部７１ｅｃ及び外側縁部７１ｅｄよりも内側に配置することができる。
【００４８】
実施形態において、ＴＦＴ基板７１の配線が引き出されていない部分において、シール部材７８からガラス基板７５の外側縁部７５ｅｃ及び外側縁部７５ｅｄそれぞれまでの距離Ｌ２は、ガラス基板７５の外側縁部７５ｅｃ及び外側縁部７５ｅｄそれぞれからＴＦＴ基板７１の外側縁部７１ｅｃ及び外側縁部７１ｅｄそれぞれまでの距離Ｌ３よりも大きい。このようにすることで、シール部材７８からガラス基板７５をスクライブする位置までの距離Ｌ２を確保しやすくなるので、スクライブ時にガラス基板７５に発生するクラック等を抑制しやすくなる。
【００４９】
図１２は、ガラス基板及びＴＦＴ基板を分断する際のスクライブの位置及び順序を説明するための平面図である。複数の表示パネル部２Ｐが形成された大判のＴＦＴ基板７１（画素基板２１Ａ）及びガラス基板７５（対向基板２１Ｂ）、すなわち表示パネル群を分断する場合、最初にガラス基板７５をスクライブして切れ目を形成し、次に、ＴＦＴ基板７１をスクライブして切れ目を形成する。ガラス基板７５は、表示パネル２の外周部、より具体的にはＴＦＴ基板７１の外側縁部となる位置を挟んだ二箇所がスクライブされる。このスクライブによって、切れ目ＳＬ２ｘ及び切れ目ＳＬ２ｙがガラス基板７５の表面に形成される。次に、ＴＦＴ基板７１は、平面視において、隣接する切れ目ＳＬ２ｘ及び切れ目ＳＬ２ｘの間並びに隣接する切れ目ＳＬ２ｙ及び切れ目ＳＬ２ｙの間がスクライブされる。このスクライブによって、切れ目ＳＬ１ｘ及び切れ目ＳＬ１ｙがＴＦＴ基板７１の表面に形成される。
【００５０】
ガラス基板７５は、ＴＦＴ基板７１と対向する面とは反対面からスクライブされる。ＴＦＴ基板７１は、ガラス基板７５と対向する面とは反対面からスクライブされる。すなわち、ガラス基板７５及びＴＦＴ基板７１は、それぞれが対向する面とは反対面から、図１０及び図１１に示す工具ＣＴによってスクライブされる。
【００５１】
スクライブが終了した後、大判のＴＦＴ基板７１及びガラス基板７５が切れ目ＳＬ１ｘ、切れ目ＳＬ１ｙ、切れ目ＳＬ２ｘ及び切れ目ＳＬ２ｙに沿って複数の表示パネル部２Ｐ毎に分断されて、複数の表示パネル２が得られる。表示パネル２が得られたら、図２に示す垂直駆動回路２２、水平駆動回路２３及びドライバＩＣ３等をＴＦＴ基板７１に実装して、表示装置１が完成する。このような工程により、実施形態の表示パネル２及びこれを備える表示装置１を製造することができる。
【００５２】
＜２．電子機器＞
以上説明した本開示に係る表示装置１は、電子機器に入力された映像信号又は電子機器内で生成した映像信号を、画像又は映像として表示するあらゆる分野の電子機器の表示部（表示装置）として用いることが可能である。次に、表示装置１が表示部として適用された電子機器、すなわち、本開示に係る電子機器の具体例について説明する。
【００５３】
（適用例１）
図１３に示す電子機器は、表示装置１が適用されるテレビジョン装置である。このテレビジョン装置は、例えば、フロントパネル５１１及びフィルターガラス５１２を含む映像表示画面部５１０を有しており、映像表示画面部５１０に、表示装置１が適用される。すなわち、テレビジョン装置の画面は、画像を表示する機能の他に、タッチ動作を検出する機能を有していてもよい。
【００５４】
（適用例２）
図１４及び図１５に示す電子機器は、表示装置１が適用されるディジタルカメラである。このディジタルカメラは、例えば、フラッシュ用の発光部５２１、表示部５２２、メニュースイッチ５２３及びシャッターボタン５２４を有しており、表示部５２２には、表示装置１が適用されている。したがって、ディジタルカメラの表示部５２２は、画像を表示する機能の他に、タッチ動作を検出する機能を有していてもよい。
【００５５】
（適用例３）
図１６に示す電子機器は、表示装置１が適用されるビデオカメラの外観を表すものである。このビデオカメラは、例えば、本体部５３１、当該本体部５３１の前方側面に設けられた被写体撮影用のレンズ５３２、撮影時のスタート／ストップスイッチ５３３及び表示部５３４を有している。そして、表示部５３４には、表示装置１が適用されている。したがって、このビデオカメラの表示部５３４は、画像を表示する機能の他に、タッチ動作を検出する機能を有していてもよい。
【００５６】
（適用例４）
図１７に示す電子機器は、表示装置１が適用されるノート型パーソナルコンピュータである。このノート型パーソナルコンピュータは、例えば、本体５４１、文字等の入力操作のためのキーボード５４２及び画像を表示する表示部５４３を有している。表示部５４３は、表示装置１が適用されている。このため、ノート型パーソナルコンピュータの表示部５４３は、画像を表示する機能の他に、タッチ動作を検出する機能を有していてもよい。
【００５７】
（適用例５）
図１８から図２４に示す電子機器は、表示装置１が適用される携帯電話機である。図１８は携帯電話機を開いた状態での正面図、図１９は携帯電話機を開いた状態での右側面図、図２０は携帯電話機を折りたたんだ状態での正面図、図２１は携帯電話機を折りたたんだ状態での左側面図、図２２は携帯電話機を折りたたんだ状態での右側面図、図２３は携帯電話機を折りたたんだ状態での上面図、図２４は携帯電話機を折りたたんだ状態での下面図である。当該携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。ディスプレイ５５４は、表示装置１が取り付けられている。このため、携帯電話機のディスプレイ５５４は、画像を表示する機能の他に、タッチ動作を検出する機能を有していてもよい。
【００５８】
（適用例６）
図２５に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、表示装置１である。
【００５９】
＜３．本開示の構成＞
本開示は以下のような構成を採ることができる。
（１）板状の部材であって、マトリクス状に配列された画素のスイッチング素子及び前記スイッチング素子と接続する配線が設けられる第１基板と、
前記第１基板と対向し、かつ、前記第１基板よりも厚みが小さい板状の部材であって、前記第１基板の基板面と直交する方向から見た場合には、前記第１基板の前記配線が引き出されていない部分と対向する部分における外側縁部が、前記第１基板の外側縁部よりも内側にある第２基板と、
前記第２基板の前記第１基板とは反対側の表面に設けられて、前記第２基板からの光の一部を遮断することにより、前記画素により表示される画像を分離する遮光層と、
を含む、表示装置。
（２）前記第１基板と前記第２基板との間、かつ前記第１基板及び前記第２基板の周辺部にシール部材を有し、
前記第１基板の前記配線が引き出されていない部分において、前記シール部材から前記第２部材の外側縁部までの距離は、前記第２基板の外側縁部から前記第１基板の外側縁部までの距離よりも大きい、前記（１）に記載の表示装置。
（３）前記第２基板の厚みは、前記第１基板の厚みの１／２０以上１／５以下である、前記（１）又は前記（２）に記載の表示装置。
（４）前記（１）から前記（３）のいずれか１つに記載の表示装置を備えた電子機器。
（５）表示装置の製造方法であって、第１基板と、前記第１基板と対向し、かつ厚みが前記第１基板の１／２０以上１／５以下である第２基板とに複数の表示パネル部が形成された表示パネル群から、前記表示パネル部を分断するための切れ目を形成する工程と、
前記切れ目に沿って前記表示パネル群を分断する工程と、
を含み、
前記切れ目を形成する工程は、
前記第２基板の表面に、前記表示パネルの外周部となる位置を挟んだ二箇所に第１の切れ目を形成する工程と、
平面視において、前記第１基板の表面の、隣接する前記第１の切れ目の間に第２の切れ目を形成する工程と、
を含む表示装置の製造方法。
【００６０】
以上、本開示について説明したが、前述した内容により本開示が限定されるものではない。また、前述した本開示の構成要素には、当業者が容易に想定できるもの、実質的に同一のもの、いわゆる均等の範囲のものが含まれる。さらに、前述した構成要素は適宜組み合わせることが可能である。また、本開示の要旨を逸脱しない範囲で構成要素の種々の省略、置換及び変更を行うことができる。
【符号の説明】
【００６１】
１  表示装置
２、１０２  表示パネル
２Ｐ  表示パネル部
４  画素
２１Ｃ  液晶層
２１Ａ  画素基板
２１Ｂ  対向基板
２１  表示エリア部
２２  垂直駆動回路
２３  水平駆動回路
２４  走査線
２５  信号線
５０  フレキシブルプリント基板
７１、１７１  ＴＦＴ基板
７１ｅａ、７１ｅｂ、７１ｅｃ、７１ｅｄ、１７１ｅａ、１７１ｅｂ、１７１ｅｃ、１７１ｅｄ  外側縁部
７２  画素電極
７３Ｂ  偏光板
７４  絶縁層
７５、１７５  ガラス基板
７５ｅａ、７５ｅｂ、７５ｅｃ、７５ｅｄ、１７５ｅａ、１７５ｅｂ、１７５ｅｃ、１７５ｅｄ  外側縁部
７６、Ｆｒａ、Ｆｇａ、Ｆｂａ、Ｆｒｂ、Ｆｇｂ、Ｆｂｂ  カラーフィルタ
７７  遮光層
７７Ａ、７７ｂ、７７ｃ、７７Ｅ、７７Ｐ  遮光パターン
７８、１７８  シール部材
７８Ｔ  外側縁部
【図１】
2014199437.tif 000003
【図２】
2014199437.tif 000004
【図３】
2014199437.tif 000005
【図４】
2014199437.tif 000006
【図５】
2014199437.tif 000007
【図６】
2014199437.tif 000008
【図７】
2014199437.tif 000009
【図８】
2014199437.tif 000010
【図９】
2014199437.tif 000011
【図１０】
2014199437.tif 000012
【図１１】
2014199437.tif 000013
【図１２】
2014199437.tif 000014
【図１３】
2014199437.tif 000015
【図１４】
2014199437.tif 000016
【図１５】
2014199437.tif 000017
【図１６】
2014199437.tif 000018
【図１７】
2014199437.tif 000019
【図１８】
2014199437.tif 000020
【図１９】
2014199437.tif 000021
【図２０】
2014199437.tif 000022
【図２１】
2014199437.tif 000023
【図２２】
2014199437.tif 000024
【図２３】
2014199437.tif 000025
【図２４】
2014199437.tif 000026
【図２５】
2014199437.tif 000027